(57)【要約】【課題】濁度成分を含む試料水中の全リン濃度を正確に測定することができるようにする。【解決手段】全リン測定装置は、発色試薬の添加されていない試料水の吸光度Ａ１を測定する第１測定動作と、発色試薬の添加された試料水の吸光度Ａ２を測定する第２測定動作を行ない、吸光度Ａ１とＡ２を用いて全リン濃度を求める。【選択図】  図１
2019060799.tif 000002
【特許請求の範囲】
【請求項１】
酸化処理済みの試料水が貯留される試料水貯留部と、
測定セルを有し、前記測定セル内に収容された試料水の吸光度を測定するための測定部と、
前記試料水を発色させるための発色試薬を供給するための発色試薬供給部と、
液の吸引と吐出を行なうシリンジポンプと、
前記シリンジポンプを前記試料水貯留部、前記測定部、又は前記発色試薬供給部のいずれかに切り替えて接続するように構成された接続切替部と、
前記測定部、前記シリンジポンプ、及び前記接続切替部の動作を制御し、前記シリンジポンプによって、前記試料水貯留部に貯留された試料水であって前記発色試薬の添加されていない未添加試料水を前記測定セルへ移送し、その未添加試料水の吸光度Ａ１を測定する第１測定動作を実行するように構成された第１測定動作部と、
前記測定部、前記シリンジポンプ、及び前記接続切替部の動作を制御し、前記シリンジポンプによって、前記試料水貯留部に貯留された試料水であって前記発色試薬の添加された添加済試料水を前記測定セルへ移送し、その添加済試料水の吸光度Ａ２を測定する第２測定動作を実行するように構成された第２測定動作部と、
前記第１測定動作で測定された吸光度Ａ１と前記第２測定動作で測定された吸光度Ａ２を用いて、試料水中の全リン濃度を求めるように構成された全リン濃度算出部と、を備えた全リン測定装置。
【請求項２】
前記第２測定動作において前記試料水に添加される前記発色試薬による試料水の希釈率に基づく補正係数を求めるように構成された補正係数算出部をさらに備え、
前記全リン濃度算出部は前記補正係数算出部により求められた補正係数を用いて試料水中の全リン濃度を求めるように構成されている、請求項１に記載の全リン測定装置。
【請求項３】
前記第２測定動作部は、前記第２測定動作として、前記第１測定動作が終了した後で、前記測定セル内の試料水を前記シリンジポンプ内へ吸引し、前記シリンジポンプ内で当該試料水に前記発色試薬を添加して前記添加済試料水とし、その添加済試料水を再び前記測定セルへ移送して吸光度Ａ２を測定する動作を実行するように構成されている、請求項１又は２に記載の全リン測定装置。
【請求項４】
前記第１測定動作部は、前記第１測定動作として、前記試料貯留部内の試料水を前記未添加試料水として前記シリンジポンプ内へ吸引した後、前記未添加試料水中の濁度成分を沈降させるために予め設定された所定時間だけ待機し、その後、前記シリンジポンプ内の沈降した濁度成分を除く前記未添加試料水を前記測定セルへ移送して吸光度Ａ１を測定する動作を実行するように構成されている、請求項３に記載の全リン測定装置。
【請求項５】
前記試料水貯留部は、前記シリンジポンプによって採取された試料水を貯留し、その試料水中のリン化合物を酸化させる酸化処理を行なうためのリアクタであり、
前記第１測定動作部は、前記酸化処理が終了した後、前記試料水中の濁度成分を沈降させるために予め設定された所定時間だけ待機し、その後、前記試料水貯留部の試料水を前記未添加試料水として前記測定セルへ移送するように構成されている、請求項１又は２に記載の全リン測定装置。
【請求項６】
前記試料水貯留部には、前記第１測定動作及び前記第２測定動作に用いられる試料水の量よりも多くの量の試料水が貯留される、請求項５に記載の全リン測定装置。
【発明の詳細な説明】
【技術分野】
【０００１】
本発明は、試料水中の全リン濃度を測定する全リン測定装置に関するものである。
【背景技術】
【０００２】
全リン測定装置は、一般的に、試料水中のリン化合物を酸化させる酸化処理を行なうためのリアクタやリアクタで酸化処理された後の試料水の吸光度測定を行なうための測定部を備えている。試料水を採取した後、その試料水にペルオキソ二硫酸カリウムなどの試薬を添加して混合してリアクタへ移送する。リアクタでは、試料水中のリン化合物を酸化させてオルトリン酸を生成する。リアクタでの酸化処理が終了した後、還元剤のアスコルビン酸と発色剤のモリブデン酸を試料水に添加して測定部へ移送し、試料水の吸光度を測定することによって試料水中のリン濃度を測定する（特許文献１を参照。）。
【先行技術文献】
【特許文献】
【０００３】
【特許文献１】特開２００３−０１４７２４号公報
【発明の概要】
【発明が解決しようとする課題】
【０００４】
試料水中に濁度成分が混入している場合がある。濁度成分は測定波長にも吸収をもっているため、試料水の単純な吸光度だけでは全リン濃度を正確に測定することはできない。
【０００５】
そこで、本発明は、濁度成分を含む試料水中の全リン濃度を正確に測定することができるようにすることを目的とするものである。
【課題を解決するための手段】
【０００６】
本発明に係る全リン測定装置は、試料水貯留部、測定部、発色試薬供給部、シリンジポンプ、接続切替部、第１測定動作部、第２測定動作部、及び全リン濃度算出部を備えている。前記試料水貯留部には酸化処理済みの試料水が貯留される。前記測定部は、測定セルを有し、前記測定セル内に収容された試料水の吸光度を測定する。発色試薬供給部は、試料水を発色させるための発色試薬を供給するためのものである。シリンジポンプは、液の吸引と吐出を行なう。接続切替部は、前記シリンジポンプを前記試料水貯留部、前記測定部、又は前記発色試薬供給部のいずれかに切り替えて接続するように構成されている。前記第１測定動作部は、前記測定部、前記シリンジポンプ、及び前記接続切替部の動作を制御し、前記シリンジポンプによって、前記試料水貯留部に貯留された試料水であって前記発色試薬の添加されていない未添加試料水を前記測定セルへ移送し、その未添加試料水の吸光度Ａ１を測定する第１測定動作を実行するように構成されている。前記第２測定動作部は、前記測定部、前記シリンジポンプ、及び前記接続切替部の動作を制御し、前記シリンジポンプによって、前記試料水貯留部に貯留された試料水であって前記発色試薬の添加された添加済試料水を前記測定セルへ移送し、その添加済試料水の吸光度Ａ２を測定する第２測定動作を実行するように構成されている。前記全リン濃度算出部は、前記第１測定動作で測定された吸光度Ａ１と前記第２測定動作で測定された吸光度Ａ２を用いて、試料水中の全リン濃度を求めるように構成されている。
【０００７】
すなわち、本発明に係る全リン測定装置は、発色試薬の添加されていない試料水の吸光度Ａ１を測定する第１測定動作と、発色試薬の添加された試料水の吸光度Ａ２を測定する第２測定動作を行ない、吸光度Ａ１とＡ２を用いて全リン濃度を求める。試料水に発色試薬が添加されていない場合、試料水中のオルトリン酸が測定波長に対して吸収を示さない。したがって、第１測定で測定される吸光度Ａ１は濁度成分の濃度に依存したものとなる。一方で、試料水に発色試薬が添加された場合は、試料水中のオルトリン酸が測定波長に対して吸収を示すため、第２測定で測定される吸光度Ａ２は、オルトリン酸の濃度と濁度成分の濃度に依存したものとなる。したがって、測定した吸光度Ａ２とＡ１の差分をとれば、オルトリン酸の濃度にのみ依存した吸光度を求めることができ、その吸光度に基づいて試料水中の全リン濃度を求めることができる。
【０００８】
ところで、上記の第２測定動作で吸光度測定に用いられる試料水は発色試薬が添加されて希釈されたものであるため、第１測定動作で吸光度測定に用いられる試料水よりも濁度成分濃度が薄くなる。
【０００９】
そこで、本発明に係る全リン測定装置は、前記第２測定動作において前記試料水に添加される前記発色試薬による試料水の希釈率に基づく補正係数を求めるように構成された補正係数算出部をさらに備え、前記全リン濃度算出部は、前記補正係数算出部により求められた補正係数を用いて試料水中の全リン濃度を求めるように構成されていることが好ましい。そうすれば、発色試薬による試料水の希釈率に応じた補正係数を用いて全リン濃度を求めることができ、測定精度が向上する。
【００１０】
また、濁度成分の代表的なものとして砂などの不溶性物質があり、そのような不溶性物質が含まれる試料水中には濁度の濃淡が発生する場合が多い。試料水を試料貯留部に入れて放置しておくと、時間とともに濁度成分が沈降し、試料貯留部の上部では濁度が低く、下部では濁度が高い状態となる。このため、前記第１測定動作の際に試料貯留部内のから採取した試料水の濁度と前記第２測定動作の際に試料貯留部内から採取した試料水の濁度は異なっていることも考えられる。前記第１測定動作で用いる試料水と前記第２測定動作で用いる試料水の濁度が異なっていると、全リン濃度を正確に求めることができない。
【００１１】
そこで、本発明に係る全リン測定装置においては、前記第２測定動作部は、前記第２測定動作として、前記第１測定動作が終了した後で、前記測定セル内の試料水を前記シリンジポンプ内へ吸引し、前記シリンジポンプ内で当該試料水に前記発色試薬を添加して前記添加済試料水とし、その添加済試料水を再び前記測定セルへ移送して吸光度Ａ２を測定する動作を実行するように構成されていることが好ましい。これにより、前記第１測定動作と前記第２測定動作とで濁度の等しい試料水を用いることになるので、全リン濃度の測定精度を向上させることができる。
【００１２】
また、試料水中のリン化合物濃度に比べて濁度成分濃度が大きい場合が多く、濁度成分濃度のバラつきは測定精度に大きな影響を与える。一般に、複数回にわたってサンプリングされた試料水のそれぞれについて濁度成分による吸光度を計測する場合には、濁度の絶対値が小さいほど濁度の平均値からのバラつきが小さくなる。すなわち、試料水の濁度が小さいほど、濁度成分濃度のバラつきが小さくなり、全リン濃度の測定精度が向上する。
【００１３】
そこで、本発明に係る全リン測定装置では、前記第１測定動作部は、前記第１測定動作として、前記試料貯留部内の試料水を前記未添加試料水として前記シリンジポンプ内へ吸引した後、前記未添加試料水中の濁度成分を沈降させるために予め設定された所定時間だけ待機し、その後、沈降した濁度成分を除く前記未添加試料水を前記測定セルへ移送して吸光度Ａ１を測定する動作を実行するように構成されていることが好ましい。そうすれば、前記シリンジポンプ内において濁度成分の一部を沈降させて濁度を低下させた状態で試料水を前記測定セルへ移送することができるので、全リン濃度の測定精度が向上する。
【００１４】
なお、前記試料水貯留部は、前記シリンジポンプによって採取された試料水を貯留し、その試料水中のリン化合物を酸化させる酸化処理を行なうためのリアクタであってもよい。その場合、前記第１測定動作部は、前記酸化処理が終了した後、前記試料水中の濁度成分を沈降させるために予め設定された所定時間だけ待機し、その後、前記試料水貯留部の試料水を前記未添加試料水として前記測定セルへ移送するように構成されていてもよい。そうすれば、リアクタ内で酸化処理がなされた後の試料水をその濁度をある程度低下させた状態で測定セルへ移送することができ、全リン濃度の測定精度を向上させることができる。
【００１５】
上記の場合、前記試料水貯留部には、前記第１測定動作及び前記第２測定動作に用いられる試料水の量よりも多くの量の試料水が貯留されるようになっていてもよい。そうすれば、前記試料水貯留部における濁度成分の沈降効果を向上させることができ、全リン濃度の測定精度の向上を図ることができる。
【発明の効果】
【００１６】
本発明に係る全リン測定装置は、発色試薬の添加されていない試料水の吸光度Ａ１を測定する第１測定動作と、発色試薬の添加された試料水の吸光度Ａ２を測定する第２測定動作を行ない、吸光度Ａ１とＡ２を用いて全リン濃度を求めるように構成されているので、試料水の吸光度の測定値から濁度成分に依存する値を差し引くことができ、全リン濃度を正確に求めることができる。
【図面の簡単な説明】
【００１７】
【図１】全リン測定装置の一実施例を示す概略構成図である。
【図２】同実施例の全リン濃度測定の一連の動作を示すフローチャートである。
【図３】同実施例の測定精度の検証データを示すグラフである。
【発明を実施するための形態】
【００１８】
以下、本発明に係る全リン測定装置の一実施例について、図面を参照しながら説明する。
【００１９】
図１に示されているように、この実施例の全リン測定装置は主として、シリンジポンプ２、２つのマルチポートバルブ４，６、リアクタ８、測定部１０、及び演算制御装置２０を備えている。
【００２０】
シリンジポンプ２は液の吸引と吐出を行なうものである。シリンジポンプ２の吸引・吐出口は、後述するマルチポートバルブ４の中心ポートに接続されている。シリンジポンプ２のシリンダには撹拌用のポンプ１８が流路を介して接続されており、ポンプ１８によって供給されるエアーによりシリンジポンプ２内において液の撹拌を行なうことができるようになっている。
【００２１】
マルチポートバルブ４と６は、シリンジポンプ２の接続先を切り替える接続切替部を実現するものである。
【００２２】
マルチポートバルブ４は、１つの中心ポートと複数の選択ポートを有し、中心ポートをいずれか１つの選択ポートへ選択的に接続するものである。マルチポートバルブ４の中心ポートにシリンジポンプ２の吸引・吐出口が接続されている。マルチポートバルブ４の１つの選択ポートはマルチポートバルブ６の中心ポートと流路を介して接続されている。マルチポートバルブ４の他の選択ポートには、アスコルビン酸溶液、モリブデン酸溶液、硫酸溶液、塩酸溶液、ペルオキソ二硫酸カリウム溶液、水酸化ナトリウム溶液をそれぞれ貯留する容器へ通じる流路が接続されている。モリブデン酸溶液は、酸化処理された試料水を発色させるための発色剤であり、モリブデン酸溶液を貯留する容器は発色剤を供給するための発色剤供給部をなしている。
【００２３】
マルチポートバルブ６も、１つの中心ポートと複数の選択ポートを有し、中心ポートをいずれか１つの選択ポートへ選択的に接続するものである。マルチポートバルブ６の１つの選択ポートは流路を介してリアクタ８と接続されており、マルチポートバルブ６の他の１つの選択ポートは流路を介して測定部１０の測定セル１２の入口に接続されている。マルチポートバルブ６の他の選択ポートには、試料水を採取するための採水管のほか、スパン液、希釈液、標準液をそれぞれ貯留する容器に通じる流路が接続されている。
【００２４】
リアクタ８は試料水の酸化処理を行なうためのものであり、紫外線照射ランプ９を有する。試料水の酸化処理とは、酸化剤（例えば、ペルオキソ二硫酸カリウム溶液）の添加された試料水に対して一定の温度条件下（例えば、９５℃）で酸素ガス又は空気を供給しながら紫外線を照射し、試料水中のリン化合物を酸化分解してオルトリン酸を生成する処理である。リアクタ８は、酸化処理済みの試料水を貯留する試料貯留部を構成する。
【００２５】
測定部１０は、測定セル１２、光源１４、及び光検出素子１６を備えている。測定セル１２の出口はドレインへ通じている。光源１４は、測定波長（例えば８８０ｎｍ又は７１０ｎｍ）の光を測定セル１２へ向けて発生させるものであり、例えばレーザ素子によって実現される。光検出素子１６は測定セル１２を透過してきた光源１４からの光の強度を検出するためのものであり、例えばフォトダイオードによって実現される。
【００２６】
演算制御装置２０は、この全リン測定装置の動作管理と演算処理を行なうためのものであり、専用のコンピュータ又は汎用のパーソナルコンピュータによって実現されるものである。演算制御装置２０の機能として、第１測定動作部２２、第２測定動作部２４、全リン濃度算出部２６、及び補正係数算出部２８を備えている。第１測定動作部２２、第２測定動作部２４、全リン濃度算出部２６、及び補正係数算出部２８は、演算制御装置２０に設けられているマイクロコンピュータなどの演算素子が所定のプログラムを実行することによって得られる機能である。
【００２７】
第１測定動作部２２は、シリンジポンプ２、マルチポートバルブ４，６、測定部１０の動作を制御し、リアクタ８において酸化処理が施された試料水であって、発色剤（例えば、モリブデン酸）の添加されていない試料水（未添加試料水）を測定セル１２へ移送し、そのときの吸光度Ａ１を測定する第１測定動作を実行するように構成されている。第１測定動作で測定セル１２へ移送される試料水には発色剤が添加されていないため、測定セル１２内の試料水中のオルトリン酸が測定波長に対して吸収をもたない。そのため、第１測定で測定される吸光度Ａ１は試料水中の濁度成分濃度に依存した値となる。
【００２８】
第２測定動作部２４は、シリンジポンプ２、マルチポートバルブ４，６、測定部１０の動作を制御し、リアクタ８において酸化処理が施された試料水であって、発色剤（例えば、モリブデン酸溶液）が添加された試料水（添加済試料水）を測定セル１２へ移送し、そのときの吸光度Ａ２を測定する第２測定動作を実行するように構成されている。第２測定動作で測定セル１２へ移送される試料水には発色剤が添加されているため、測定セル１２内の試料水中のオルトリン酸が測定波長に対して吸収をもつ。そのため、第２測定で測定される吸光度Ａ２は試料水中のオルトリン酸濃度と濁度成分濃度に依存した値となる。
【００２９】
全リン濃度算出部２６は、上記の第１測定動作と第２測定動作で測定された吸光度Ａ１とＡ２の差分から試料水中のオルトリン酸濃度にのみ依存した吸光度を求め、その吸光度から試料水中の全リン濃度を求めるように構成されている。
【００３０】
全リン濃度算出部２６は、試料水中のオルトリン酸濃度にのみ依存した吸光度を吸光度Ａ１とＡ２の単純な差分（Ａ２−Ａ１）によって求めるように構成されていてもよいが、この実施例では、全リン濃度をより高精度に算出するために、後述の補正係数算出部２８によって算出される補正係数ｋを用いてオルトリン酸濃度にのみ依存した吸光度の算出を行なうように構成されている。
【００３１】
補正係数算出部２８は、上記の第２測定動作における試料水への発色剤の添加による試料水の希釈率を求め、その希釈率に基づいて補正係数ｋ（＜１）を算出するように構成されている。第２測定動作における試料水への発色剤の添加はシリンジポンプ２内において行なわれる。発色剤が添加される前のシリンジポンプ２内の試料水量と添加される発色剤の量は予めプログラムされた規定値からわかり、試料水の希釈率は、
（試料水量＋発色剤量）／試料水量
となる。したがって、試料水中の濁度成分濃度は、
試料水量／（試料水量＋発色剤量）
に低下していると考えられるため、補正係数ｋは
ｋ＝試料水量／（試料水量＋発色剤量）
により求めることができる。
【００３２】
全リン濃度算出部２６は、補正係数算出部２８により求められた補正係数ｋを用いて、オルトリン酸濃度にのみ依存した吸光度Ａ３を
Ａ３＝Ａ２−ｋＡ１
によって求めるように構成されている。
【００３３】
次に、図１とともに図２のフローチャートを用いて、全リン測定における一連の動作の一例について説明する。
【００３４】
まず、シリンジポンプ２が試料水を採取するための採水管に接続されるようにマルチポートバルブ４，６を切り替え、シリンジポンプ２内に試料水を採取する（ステップＳ１）。次に、シリンジポンプ２が酸化剤であるペルオキソ二硫酸カリウム溶液を貯留した容器へ接続されるようにマルチポートバルブ４を切り替え、シリンジポンプ２内にペルオキソ二硫酸カリウム溶液を吸引する（ステップＳ２）。ポンプ１８によってシリンジポンプ２内にエアーを供給することによりシリンジポンプ２内を撹拌する。
【００３５】
シリンジポンプ２がリアクタ８へ接続されるようにマルチポートバルブ４，６を切り替え、試料水をシリンジポンプ２からリアクタ８へ移送する（ステップＳ４）。リアクタ８内で試料水の酸化処理を予め設定された時間（例えば、２０分間）行なう。この酸化処理により、試料水中のリン化合物が酸化分解されてオルトリン酸が生成される（ステップＳ４）。酸化処理が完了した後、試料水中の濁度成分をさらに沈降させるために予め設定された時間（例えば、１０分間）だけ待機する（ステップＳ５）。
【００３６】
その後、第１測定動作部２２が第１測定動作を実行する。第１測定動作では、まず、リアクタ８内から所定量の試料水をシリンジポンプ２内に採取する（ステップＳ６）。リアクタ８の底部には濁度成分の一部が沈降しており、シリンジポンプ２内には濁度成分濃度の低下した試料水が採取される。
【００３７】
シリンジポンプ２が還元剤であるアスコルビン酸溶液を貯留する容器に接続されるようにマルチポートバルブ４を切り替え、シリンジポンプ２内の試料水にアスコルビン酸を添加し混合する（ステップＳ７）。その後、試料水中の濁度成分を沈降させるために予め設定された時間（例えば、１０分間）だけ待機する（ステップＳ８）。これにより、試料水中の濁度成分の一部はシリンジポンプ２の下部に沈降する。
【００３８】
その後、シリンジポンプ２が測定セル１２に接続されるようにマルチポートバルブ４，６を切り替え、発色剤未添加の状態の試料水（未添加試料水）を所定量だけシリンジポンプ２から測定セル１２へ移送する（ステップＳ９）。このとき、シリンジポンプ２の下部に沈降した濁度成分はシリンジポンプ２内に滞留するため、濁度成分が沈降した後の上澄み液のみが測定セル１２へ移送されることとなる。所定量の試料水を測定セル１２へ移送した後、測定部１０において吸光度Ａ１を測定する（ステップＳ１０）。ここまでが第１測定動作である。吸光度Ａ１を測定している間に、シリンジポンプ２内に滞留した沈降成分（濁度成分）を含む試料水をドレインへ排出する。
【００３９】
上記の第１測定動作が終了した後、第２測定動作部２４は第２測定動作を実行する。まず、測定セル１２内の試料水をシリンジポンプ２内に引き戻す（ステップＳ１１）。その後、シリンジポンプ２がモリブデン酸溶液を収容した容器に接続されるようにマルチポートバルブ４を切り替え、シリンジポンプ２内の試料水にモリブデン酸溶液を発色剤として添加し撹拌する（ステップＳ１２）。
【００４０】
その後、シリンジポンプ２が測定セル１２に接続されるようにマルチポートバルブ４，６を切り替え、発色剤の添加された試料水（添加済試料水）をシリンジポンプ２から測定セル１２へ移送し（ステップＳ１３）、測定部１０において吸光度Ａ２を測定する（ステップＳ１４）。ここまでが第２測定動作である。
【００４１】
上記の第２測定動作が終了した後、全リン濃度算出部２６は、第１測定動作で求められた吸光度Ａ１、第２測定動作で求められた吸光度Ａ２、及び予め補正係数算出部２８により算出されていた補正係数ｋを用いて、試料水中のオルトリン酸濃度にのみ依存した吸光度Ａ３を
Ａ３＝Ａ２−ｋＡ１
を用いて求め、求めたＡ３と予め用意された検量線に基づいて試料水中の全リン濃度を求める（ステップＳ１５）。
【００４２】
なお、上記の動作説明では、第１測定動作と第２測定動作で同一の試料水を用いるために、第１測定動作が終了した後で測定セル１２からシリンジポンプ２内に試料水を引き戻している（ステップＳ１１）が、本発明はこれに限定されるものではない。第１測定動作が終了した後、測定セル１２内の試料水をドレインへ排出し、リアクタ８からシリンジポンプ２内に新たな試料水を採取するようにしてもよい。
【００４３】
図３は、全リン測定用の標準試料（５０ｐｐｂ）と濁度成分の標準試料（カオリン４００ｍｇ／Ｌ）の混合溶液を試料水として、上記実施例と同様の吸光度測定を行なったときの吸光度の測定結果を示すグラフである。当該グラフにおいてデータ点「●」は第１測定動作により求めた吸光度Ａ１を示し、データ点「▲」は第２測定動作により求めた吸光度Ａ２を示し、データ点「□」は（Ａ２−ｋＡ１）を示している。
【００４４】
このグラフからわかるように、試料水中の濁度成分にのみ依存する吸光度Ａ１は各測定間でバラつきがあるものの、補正値である（Ａ２−ｋＡ１）はほとんどバラつきがなく安定した値となっている。このことから、本発明に係る全リン濃度測定装置は、濁度成分による干渉を抑制して全リン濃度の測定を正確に行なうことができることがわかる。
【符号の説明】
【００４５】
２      シリンジポンプ
４，６      マルチポートバルブ（接続切替部）
８      リアクタ（試料水貯留部）
９      紫外線ランプ
１０      測定部
１２      測定セル
１４      光源
１６      光検出素子
１８      ポンプ
２０      演算制御装置
２２      第１測定動作部
２４      第２測定動作部
２６      全リン濃度算出部
２８      補正係数算出部
【図１】
2019060799.tif 000003
【図２】
2019060799.tif 000004
【図３】
2019060799.tif 000005